(57)【特許請求の範囲】
【請求項１】
少なくとも一つの下位ノードから少なくとも一つのＡＣＫ情報を受信した場合、上位ノードから提供されたＡＣＫチャンネル構成情報を確認する過程と、
前記ＡＣＫチャンネル構成情報によって上位ノードからスケジューリングされた少なくとも一つのデータに対するＡＣＫ情報と、上位ノードからスケジューリングされていない少なくとも一つの再送データに対するＡＣＫ情報とが区分されるように、それぞれのＡＣＫ情報を伝送するための少なくても一つのＡＣＫチャンネルを配列する過程と、
前記配列したＡＣＫチャンネルを介して少なくとも一つのＡＣＫ情報を前記上位ノードに伝送する過程と、
を含むことを特徴とする中継方式を利用する無線通信システムの中継局におけるＡＣＫチャンネルの伝送方法。
【請求項２】
前記下位ノードは、端末と下位中継局のうち少なくとも一つを含み、
前記上位ノードは、基地局と上位中継局のうち少なくとも一つを含むことを特徴とする請求項１に記載の方法。
【請求項３】
前記ＡＣＫチャンネル構成情報を確認する過程は、
システム構成時、前記上位ノードと予め取り決められたＡＣＫチャンネル構成情報を確認するか、または前記上位ノードから受信される制御信号によりＡＣＫチャンネル構成情報を確認する過程を含むことを特徴とする請求項１に記載の方法。
【請求項４】
前記ＡＣＫチャンネル構成情報は、上位ノードからスケジューリングされた少なくとも一つのデータに対するＡＣＫチャンネルを割り当てるための第１のＡＣＫチャンネル領域と、少なくとも一つの中継局が上位ノードからスケジューリングされずに下位ノードに伝送した少なくとも一つの再送データに対するＡＣＫチャンネルを割り当てるための第２のＡＣＫチャンネル領域とに対する情報を含むことを特徴とする請求項１に記載の方法。
【請求項５】
前記ＡＣＫチャンネル構成情報は、前記第１のＡＣＫチャンネル領域と前記第２のＡＣＫチャンネル領域に割り当てるための少なくても一つのＡＣＫチャンネルに対する配列情報を含むこと特徴とする請求項４に記載の方法。
【請求項６】
前記第１のＡＣＫチャンネル領域のＡＣＫチャンネルに対する配列情報は、ＡＣＫ情報を伝送するデータのスケジューリング情報を受信した順序、またはＡＣＫ情報を伝送するデータのＡＣＫ情報を最初に伝送した下位ノードまでのホップ数の正順もしくは逆順に決定される前記第１のＡＣＫチャンネル領域のＡＣＫチャンネルの順序を含むことを特徴とする請求項５に記載の方法。
【請求項７】
前記第２のＡＣＫチャンネル領域のＡＣＫチャンネルに対する配列情報は、ＡＣＫ情報を伝送するデータのＡＣＫ情報を伝送した下位ノードの種類に従って、ＡＣＫ情報の受信順序の正順もしくは逆順に決定される前記第２のＡＣＫチャンネル領域のＡＣＫチャンネルの順序を含むことを特徴とする請求項５に記載の方法。
【請求項８】
上位ノードから提供されたスケジューリング情報を確認する過程と、
前記スケジューリング情報によって少なくとも一つの下位ノードにデータを伝送する過程と、
前記下位ノードに伝送したデータに対するＡＣＫ情報が受信されたか否かを確認する過程をさらに含むことを特徴とする請求項１に記載の方法。
【請求項９】
少なくとも一つの下位ノードから再送要求があった場合、前記下位ノードに再送データを伝送する過程と、
前記下位ノードに伝送した再送データに対するＡＣＫ情報が受信されたか否かを確認する過程をさらに含むことを特徴とする請求項８に記載の方法。
【請求項１０】
前記ＡＣＫ情報を前記上位ノードに伝送する過程は、
前記上位ノードで決定したＡＣＫ情報伝送時点になった場合、前記配列したＡＣＫチャンネルを介してＡＣＫ情報を前記上位ノードに伝送する過程、
を含むことを特徴とする請求項１に記載の方法。
【請求項１１】
信号が受信される受信部と、
前記受信部を介して少なくとも一つの下位ノードから少なくとも一つのＡＣＫ情報が受信された場合、上位ノードから提供されたＡＣＫチャンネル構成情報を確認するＡＣＫチャンネル構成部と、
前記ＡＣＫチャンネル構成情報によって上位ノードからスケジューリングされた少なくとも一つのデータに対するＡＣＫ情報と上位ノードからスケジューリングされていない少なくとも一つの再送データに対するＡＣＫ情報とが区分されるように、それぞれのＡＣＫ情報を伝送するための少なくても一つのＡＣＫチャンネルを配列するＡＣＫチャンネル生成部と、
前記配列したＡＣＫチャンネルを介して少なくとも一つのＡＣＫ情報を前記上位ノードに伝送する送信部と、
を含んで構成されることを特徴とする中継方式を利用する無線通信システムの中継局装置。
【請求項１２】
前記下位ノードは、端末と下位中継局のうち少なくとも一つを含み、
前記上位ノードは、基地局と上位中継局のうち少なくとも一つを含むことを特徴とする請求項１１に記載の装置。
【請求項１３】
前記ＡＣＫチャンネル構成部は、
システム構成時、前記上位ノードと予め取り決められたＡＣＫチャンネル構成情報を確認するか、または前記上位ノードから受信される制御信号によりＡＣＫチャンネル構成情報を確認することを特徴とする請求項１１に記載の装置。
【請求項１４】
前記ＡＣＫチャンネル構成部は、上位ノードからスケジューリングされた少なくとも一つのデータに対するＡＣＫチャンネルを割り当てるための第１のＡＣＫチャンネル領域と、少なくとも一つの中継局が上位ノードからスケジューリングされずに下位ノードに伝送した少なくとも一つの再送データに対するＡＣＫチャンネルを割り当てるための第２のＡＣＫチャンネル領域とに対する情報を含むＡＣＫチャンネル構成情報を確認することを特徴とする請求項１１に記載の装置。
【請求項１５】
前記ＡＣＫチャンネル構成部は、前記第１のＡＣＫチャンネル領域と前記第２のＡＣＫチャンネル領域に割り当てるための少なくても一つのＡＣＫチャンネルに対する配列情報を含むＡＣＫチャンネル構成情報を確認することを特徴とする請求項１４に記載の装置。
【請求項１６】
前記ＡＣＫチャンネル構成部は、ＡＣＫ情報を伝送するデータのスケジューリング情報を受信した順序、またはＡＣＫ情報を伝送するデータのＡＣＫ情報を最初に伝送した下位ノードまでのホップ数の正順もしくは逆順に決定される前記第１のＡＣＫチャンネル領域のＡＣＫチャンネルの順序を含む第１のＡＣＫチャンネル領域のＡＣＫチャンネルに対する配列情報を確認することを特徴とする請求項１５に記載の装置。
【請求項１７】
前記ＡＣＫチャンネル構成部は、ＡＣＫ情報を伝送するデータのＡＣＫ情報を伝送した下位ノードの種類に従って、ＡＣＫ情報の受信順序の正順もしくは逆順に決定される前記第２のＡＣＫチャンネル領域のＡＣＫチャンネルの順序を含む第２のＡＣＫチャンネル領域のＡＣＫチャンネルに対する配列情報を確認することを特徴とする請求項１５に記載の装置。
【請求項１８】
前記送信部は、前記上位ノードで決定したＡＣＫ情報伝送時点になった場合、前記配列したＡＣＫチャンネルを介して少なくとも一つのＡＣＫ情報を前記上位ノードに伝送することを特徴とする請求項１１に記載の装置。
【請求項１９】
前記送信部は、前記スケジューリング情報によって少なくとも一つの下位ノードにデータを伝送し、
少なくとも一つの下位ノードから再送要求があった場合、前記下位ノードに再送データを伝送することを特徴とする請求項１１に記載の装置。
【請求項２０】
前記受信部は、前記下位ノードに伝送したデータ及び再送データに対するＡＣＫ情報を受信することを特徴とする請求項１９に記載の装置。
【発明の詳細な説明】
【技術分野】
【０００１】
本発明は、無線通信システムにおける自動再送要求（Automatic  Repeat  reQuest：以下、「ＡＲＱ」という）を行うための装置及び方法に関し、詳しくは、中継方式を利用する無線通信システムにおけるＡＲＱのためのＡＣＫチャンネルを伝送するための装置及び方法に関する。
【背景技術】
【０００２】
無線通信システムは、無線チャンネルの状態によって伝送データにエラーが発生することがある。そのため、無線通信システムは、データに発生したエラーに対する制御及び復旧のために自動再送要求（ＡＲＱ：Automatic  Repeat  reQuest）技法、または前方エラー訂正（ＦＥＣ：Forward  Error  Correction）技法を用いる。ここで、前記ＡＲＱ技法は、受信端で損失されたデータに対し送信端に再送を要請する技法である。また、前記ＦＥＣ技法は、受信端において損失されたデータに対するエラーを訂正する技法である。
【０００３】
ＡＲＱ技法を用いる場合、受信端は、送信端から受信されたパケットに対するエラー発生情報を前記送信端に伝送する。すなわち、受信されたパケットにエラーが生じていない場合、前記受信端は、前記送信端にＡＣＫ信号を伝送する。一方、受信されたパケットにエラーが生じた場合、前記受信端は、前記送信端にＮＡＣＫ信号を伝送する。
【０００４】
そのとき、送信端は、受信端からＡＣＫ信号が受信されると、新しいパケットを伝送する。一方、受信端からＮＡＣＫ信号が受信されると、送信端は、前記ＮＡＣＫ信号に対するデータを前記受信端に再送する。
【０００５】
無線通信システムは、セルの端や陰影地域に位置する端末に、より優れた無線チャンネルを提供するために、中継局を利用した中継サービスを提供する。すなわち、中継方式を利用する無線通信システムは、中継局を利用して基地局と端末との間で送受信するデータを中継して、基地局と端末との間により優れた無線チャンネルを提供することができる。
【０００６】
中継方式を利用する無線通信システムにおいて、基地局と中継局及び端末とは、無線チャンネルを利用してデータを送受信する。そのため、中継方式を利用する無線通信システムにおいては、中継局を考慮してデータに生じたエラーに対する制御及び復旧のためのＡＲＱ方法を必要とする。
【特許文献１】韓国特許公開公報２００７−０１１４６６４号
【発明の開示】
【発明が解決しようとする課題】
【０００７】
よって、本発明の目的は、中継方式を利用する無線通信システムの中継局において複数のＡＣＫチャンネルを同時に上位ノードに伝送するための装置及び方法を提供することにある。
【０００８】
本発明の他の目的は、中継方式を利用する無線通信システムの中継局において上位ノードから提供されたＡＣＫチャンネルスケジューリング情報によって複数のＡＣＫチャンネルを順次配列して上位ノードに伝送するための装置及び方法を提供することにある。
【０００９】
本発明のさらに他の目的は、中継方式を利用する無線通信システムの中継局において上位ノードからスケジューリングされたデータのＡＣＫチャンネルとスケジューリングされていない再送データのＡＣＫチャンネルとを同時に上位ノードに伝送するための装置及び方法を提供することにある。
【００１０】
本発明のさらに他の目的は、中継方式を利用する無線通信システムの中継局において上位ノードからスケジューリングされたデータのＡＣＫチャンネルとスケジューリングされていない再送データのＡＣＫチャンネルとを区分して上位ノードに伝送するための装置及び方法を提供することにある。
【課題を解決するための手段】
【００１１】
本発明の目的を達成するための本発明の第１の態様によると、中継方式を利用する無線通信システムの中継局におけるＡＣＫチャンネルの伝送方法は、少なくとも一つの下位ノードから少なくとも一つのＡＣＫ情報を受信した場合、上位ノードから提供されたＡＣＫチャンネル構成情報を確認する過程と、前記ＡＣＫチャンネル構成情報によって上位ノードからスケジューリングされた少なくとも一つのデータに対するＡＣＫ情報と、上位ノードからスケジューリングされていない少なくとも一つの再送データに対するＡＣＫ情報とが区分されるように、それぞれのＡＣＫ情報を伝送するための少なくても一つのＡＣＫチャンネルを配列する過程と、前記配列したＡＣＫチャンネルを介して少なくとも一つのＡＣＫ情報を前記上位ノードに伝送する過程と、  を含むことを特徴とする。
【００１２】
本発明の第２の態様によると、中継方式を利用する無線通信システムの中継局装置は、信号が受信される受信部と、前記受信部を介して少なくとも一つの下位ノードから少なくとも一つのＡＣＫ情報が受信された場合、上位ノードから提供されたＡＣＫチャンネル構成情報を確認するＡＣＫチャンネル構成部と、前記ＡＣＫチャンネル構成情報によって上位ノードからスケジューリングされた少なくとも一つのデータに対するＡＣＫ情報と上位ノードからスケジューリングされていない少なくとも一つの再送データに対するＡＣＫ情報とが区分されるように、それぞれのＡＣＫ情報を伝送するための少なくても一つのＡＣＫチャンネルを配列するＡＣＫチャンネル生成部と、配列したＡＣＫチャンネルを介して少なくとも一つのＡＣＫ情報を前記上位ノードに伝送する送信部と、を含んで構成されることを特徴とする。
【発明の効果】
【００１３】
本発明の装置及び方法によると、上述の中継方式を利用する無線通信システムの中継局において上位ノードからスケジューリングされたデータのＡＣＫチャンネルとスケジューリングされていない再送データのＡＣＫチャンネルが区分され、上位ノードから提供されたＡＣＫチャンネルスケジューリング情報によって複数のＡＣＫチャンネルを順次配列して上位ノードに伝送することにより、上位ノードで前記複数のＡＣＫチャンネルを容易に確認することができる。
【発明を実施するための最良の形態】
【００１４】
以下に説明する本発明の好ましい実施形態は、例示の目的のために開示されるものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【００１５】
以下において、中継方式を利用する無線通信システムの中継局において複数のＡＣＫチャンネルを同時に上位ノードに伝送するための技術について説明する。ここで、前記上位ノードは、基地局、または上位中継局を意味する。
【００１６】
以下の説明において、無線通信システムは、自動再送要求（ＡＲＱ）を用いるものとする。また、中継局のうち、基地局からＮホップ離れた中継局を中継局Ｎという。また、中継局Ｎからのサービスが提供される端末を端末Ｎという。
【００１７】
以下の説明において、無線通信システムは、中央集中式スケジューリング方式を用いるものとする。すなわち、基地局ですべての下位ノードに対するスケジューリングを行い、ＡＲＱを制御する。これによって、基地局は、下位ノードに伝送したデータに対するＡＣＫ情報が受信されなければならない。ここで、前記ＡＣＫ情報は、下位ノードがＡＣＫチャンネルを介して上位ノードに伝送するＡＣＫ信号、またはＮＡＣＫ信号を意味する。また、前記下位ノードは、下位中継局、または端末を意味する。
【００１８】
図１は、本発明に係る中継方式を利用する無線通信システムにおいてＡＲＱを行なうためのＡＣＫチャンネルを伝送するための構成を示している。
【００１９】
図１に示したように、前記無線通信システムは、基地局（１００）、中継局１（１１０）、中継局２（１２０）、中継局３（１３０）及び端末（１１１、１２１、１３１）を含んで構成される。
【００２０】
ｉ番目フレーム（１４１）の間に、前記基地局（１００）は、前記端末３（１３１）に伝送するデータ１と、スケジューリング情報を含むマップとを前記中継局１（１１０）に伝送する。ここで、前記マップは、データ伝送及びデータ再送のためのスケジューリング情報と、下位ノードがＡＣＫチャンネルを伝送するためのＡＣＫチャンネル領域情報とを含む。
【００２１】
（ｉ＋１）番目フレーム（１４３）の間に、前記中継局１（１１０）は、前記基地局（１００）から提供された前記データ１及びマップを前記中継局２（１２０）に伝送する。
【００２２】
（ｉ＋２）番目フレーム（１４５）の間に、前記基地局（１００）は、前記端末２（１２１）に伝送するデータ２と、スケジューリング情報を含むマップとを前記中継局１（１１０）に伝送する。
【００２３】
また、前記中継局２（１２０）は、前記中継局１（１１０）から提供された前記データ１及びマップを前記中継局３（１３０）に伝送する。
【００２４】
（ｉ＋３）番目フレーム（１４７）の間に、前記中継局１（１１０）は、前記基地局（１００）から提供された前記データ２及びマップを前記中継局２（１２０）に伝送する。
【００２５】
また、前記中継局３（１３０）は、前記中継局２（１２０）から提供されたスケジューリング情報によって前記データ１を前記端末３（１３１）に伝送する。そのとき、前記中継局３（１３０）は、上位ノードのスケジューリングなしに再送データ１を前記データ１とともに前記端末３（１３１）に伝送する。ここで、前記再送データ１は、以前のフレームの間に前記中継局３（１３０）が前記端末３（１３１）に伝送したデータのうち、エラーが生じて前記中継局３（１３０）が前記端末３（１３１）に再送するデータを意味する。
【００２６】
（ｉ＋４）番目フレーム（１４９）の間に、前記基地局（１００）は、前記端末１（１１１）に伝送するデータ３と、スケジューリング情報を含むマップとを前記中継局１（１１０）に伝送する。
【００２７】
また、前記中継局２（１２０）は、前記中継局１（１１０）から提供されたスケジューリング情報によって前記データ２を前記端末２（１２１）に伝送する。そのとき、前記中継局２（１２０）は、上位ノードのスケジューリングなしに再送データ２を前記データ２とともに前記端末２（１２１）に伝送する。ここで、前記再送データ２は、以前のフレームの間に前記中継局２（１２０）が前記端末２（１２１）に伝送したデータのうち、エラーが生じて前記中継局２（１２０）が前記端末２（１２１）に再送するデータを意味する。
【００２８】
さらに、前記端末３（１３１）は、前記（ｉ＋３）番目フレーム（１４７）の間に前記中継局３（１３０）から提供された前記データ１及び前記再送データ１に対するＡＣＫ情報を前記中継局３（１３０）に伝送する。
【００２９】
（ｉ＋５）番目フレーム（１５１）の間に前記中継局１（１１０）は、前記基地局（１００）から提供された前記データ３とマップとを前記端末１（１１１）に伝送する。そのとき、前記中継局１（１１０）は、上位ノードのスケジューリングなしに再送データ３を前記データ３とともに前記端末１（１１１）に伝送する。ここで、前記再送データ３は、以前のフレームの間に前記中継局１（１１０）が前記端末１（１１１）に伝送したデータのうち、エラーが生じて前記中継局１（１１０）が前記端末１（１１１）に再送するデータを意味する。
【００３０】
また、前記端末２（１２１）は、前記（ｉ＋４）番目フレーム（１４９）の間に前記中継局２（１２０）から提供された前記データ２及び前記再送データ２に対するＡＣＫ情報を前記中継局２（１２０）に伝送する。
【００３１】
また、前記中継局３（１３０）は、前記（ｉ＋４）番目フレーム（１４９）の間に前記端末３（１３１）から提供されたＡＣＫ情報を前記中継局２（１２０）に伝送する。
【００３２】
そのとき、前記中継局３（１３０）は、上位ノードからスケジューリングされた前記データ１に対するＡＣＫ情報と上位ノードのスケジューリングなしに伝送した前記再送データ１に対するＡＣＫ情報とを区分して前記中継局２（１２０）に伝送する。
【００３３】
（ｉ＋６）番目フレーム（１５３）の間に、前記端末１（１１１）は、前記（ｉ＋５）番目フレーム（１５１）の間に前記中継局１（１１０）から提供された前記データ３及び前記再送データ３に対するＡＣＫ情報を前記中継局１（１１０）に伝送する。
【００３４】
また、前記中継局２（１２０）は、前記（ｉ＋５）番目フレーム（１５１）の間に前記端末２（１２１）から提供されたＡＣＫ情報と前記中継局３（１３０）から提供されたＡＣＫ情報とを前記中継局１（１１０）に伝送する。そのとき、前記中継局２（１２０）は、上位ノードからスケジューリングされた前記データ１及び前記データ２に対するＡＣＫ情報と、上位ノードのスケジューリングなしに伝送した前記再送データ１及び前記再送データ２に対するＡＣＫ情報とを区分して前記中継局１（１１０）に伝送する。
【００３５】
（ｉ＋７）番目フレーム（１５５）の間に、前記中継局１（１１０）は、前記（ｉ＋６）番目フレーム（１５３）の間に前記端末１（１１１）から提供されたＡＣＫ情報と前記中継局２（１２０）から提供されたＡＣＫ情報とを前記基地局（１００）に伝送する。そのとき、前記中継局１（１１０）は、上位ノードからスケジューリングされた前記データ１、前記データ２及び前記データ３に対するＡＣＫ情報と、上位ノードのスケジューリングなしに伝送した前記再送データ１、前記再送データ２及び前記再送データ３に対するＡＣＫ情報とを区分して前記基地局（１００）に伝送する。
【００３６】
上述したように、中継局は、サービスを提供する端末から提供されたＡＣＫ情報を上位ノードに伝送する。この際、中継局は、基地局から提供されたＡＣＫ情報伝送時点と上位ノードから提供されたＡＣＫチャンネルにより、端末から提供されたＡＣＫ情報を上位ノードに伝送する。例えば、図１に示したように、基地局（１００）がデータ１、データ２及びデータ３に対するＡＣＫ情報を（ｉ＋７）番目フレーム（１５５）に伝送するように指示する場合、中継局１（１１０）は、（ｉ＋７）番目フレーム（１５５）の間に、前記データ１、データ２及びデータ３に対するＡＣＫ情報を前記基地局（１００）に伝送する。
【００３７】
また、中継局は、上位ノードから提供されたＡＣＫチャンネルを介してサービスを提供する端末から提供されたＡＣＫ情報だけでなく、下位中継局から提供されたＡＣＫ情報も上位ノードに伝送する。例えば、図１に示したように、（ｉ＋６）番目フレーム（１５３）の間に、中継局２（１２０）は、前記端末２（１２１）から提供されたＡＣＫ情報と前記中継局３（１３０）から提供されたＡＣＫ情報とを前記中継局１（１１０）に伝送する。さらに、（ｉ＋７）番目フレーム（１５５）の間に、中継局１（１１０）は、端末１（１１１）から提供されたＡＣＫ情報と中継局２（１２０）から提供されたＡＣＫ情報とを基地局（１００）に伝送する。そのとき、中継局１（１１０）は、基地局（１００）から提供されたＡＣＫ情報伝送時点により、下位ノードから提供されたＡＣＫ情報を前記基地局（１００）に伝送する。
【００３８】
上述したように、中継局は、同一時点で、それぞれのＡＣＫチャンネルを介して複数のＡＣＫ情報を上位ノードに伝送することができる。そのとき、中継局は、上位ノードと約束された順序により複数のＡＣＫ情報を上位ノードに伝送するために、複数のＡＣＫチャンネルを配列する。例えば、中継局は、システム構成の際に、上位ノードに伝送するための複数のＡＣＫチャンネルの構成順序を上位ノードと約束しておく。別の例として、上位ノードは、制御メッセージを利用して複数のＡＣＫチャンネルの構成順序を下位中継局に伝送する。
【００３９】
中継局は、マップ受信順序、またはＡＣＫ情報を最初に伝送したノードとのホップ数を考慮して、複数のＡＣＫチャンネルに対する順序を決定してもよい。
【００４０】
先ず、マップの受信順序を考慮する場合、図１に示した中継局１（１１０）は、基地局（１００）からデータ１に対するマップ、データ２に対するマップ及びデータ３に対するマップを順次受信する。それにより、前記中継局１（１１０）は、図５の（Ａ）に示したように、データ１、データ２及びデータ３の順でＡＣＫチャンネルを構成して複数のＡＣＫ情報を前記基地局（１００）に伝送する。別の例として、前記中継局１（１１０）は、図５の（Ｂ）に示したように、データ３、データ２及びデータ１の順でＡＣＫチャンネルを構成して複数のＡＣＫ情報を前記基地局（１００）に伝送してもよい。
【００４１】
次に、ＡＣＫ情報を最初に伝送したノードとのホップ数を考慮する場合、図１に示したように、中継局１（１１０）と、データ１に対するＡＣＫ情報を最初に伝送した端末３（１３１）は、３ホップ、前記中継局１（１１０）と、データ２に対するＡＣＫ情報を最初に伝送した端末２（１２１）は、２ホップ、前記中継局１（１１０）と、データ３に対するＡＣＫ情報を最初に伝送した端末１（１１１）は、１ホップ離れている。そのため、前記中継局１（１１０）は、図５の（Ａ）に示したように、データ１、データ２及びデータ３の順でＡＣＫチャンネルを構成して複数のＡＣＫ情報を前記基地局（１００）に伝送する。別の例として、前記中継局１（１１０）は、図５の（Ｂ）に示したように、データ３、データ２及びデータ１の順でＡＣＫチャンネルを構成して複数のＡＣＫ情報を前記基地局（１００）に伝送してもよい。
【００４２】
また、図１に示した中継局２（１２０）の場合にも、前記中継局１（１１０）と同様に、マップ受信順序、またはＡＣＫ情報を最初に伝送したノードとのホップ数を考慮して、ＡＣＫチャンネルを構成してもよい。
【００４３】
上述したように、中継局は、下位ノードから提供されたＡＣＫ情報を上位ノードに伝送する。そのとき、中継局は、上位ノードからスケジューリングされたデータだけでなく、上位ノードのスケジューリングなしに下位ノードに伝送した再送データに対するＡＣＫ情報も上位ノードに伝送する。
【００４４】
上位ノードのスケジューリングなしに下位ノードに再送データを伝送する場合、上位ノードは、下位中継局が再送データを伝送する時点が分からないため、下位中継局が下位ノードに伝送した再送データに対するＡＣＫ情報を伝送する時点も分からない。
【００４５】
よって、基地局は、下位ノードにＡＣＫチャンネル領域を割り当てる時、下位ノードに伝送するデータに対するＡＣＫチャンネル領域だけでなく、下位中継局が任意に伝送する再送データに対するＡＣＫチャンネル領域を割り当てる。そのとき、前記基地局は、自らスケジューリングするデータに対するＡＣＫチャンネル領域と、下位中継局が任意に伝送する再送データに対するＡＣＫチャンネル領域とが区分されるように割り当てる。
【００４６】
これにより、中継局は、上位ノードからスケジューリングされたデータに対するＡＣＫ情報と、上位ノードのスケジューリングなしに下位ノードに伝送した再送データに対するＡＣＫチャンネルとを区分して、上位ノードに伝送する。例えば、中継局は、図５の（Ｃ）に示したように、上位ノードからスケジューリングされたデータに対するＡＣＫチャンネルを先に割り当て、スケジューリングされていない再送データに対するＡＣＫチャンネルを次に割り当てる。別の例として、中継局は、図５の（Ｄ）に示したように、スケジューリングされていない再送データに対するＡＣＫチャンネルを先に割り当て、上位ノードからスケジューリングされたデータに対するＡＣＫチャンネルを次に割り当ててもよい。
【００４７】
そのとき、基地局においてスケジューリングするデータに対するＡＣＫチャンネル領域は、図５の（Ａ）または（Ｂ）に示したように構成してもよい。また、中継局は、上位ノードのスケジューリングなしに伝送する再送データに対するＡＣＫチャンネル領域も順次構成して伝送してもよい。例えば、中継局は、図５の（Ｅ）に示したように、下位中継局から提供されたＡＣＫ情報に対するＡＣＫチャンネルを先に割り当て、端末から提供されたＡＣＫ情報に対するＡＣＫチャンネルを次に割り当てる。別の例として、中継局は、図５の（Ｆ）に示したように、端末から提供されたＡＣＫ情報に対するＡＣＫチャンネルを先に割り当て、下位中継局から提供されたＡＣＫ情報に対するＡＣＫチャンネルを次に割り当ててもよい。また、別の例として、中継局は、ＡＣＫチャンネル割当て制御メッセージを伝送した順序に基づいて、多数のＡＣＫチャンネルを配列する。ここで、前記ＡＣＫチャンネル割当て制御メッセージは、ＩＥＥＥ  ８０２．１６標準のアップリンクマップに含まれるＡＣＫ割当て情報要素（ACK  Allocation  IE）を示す。さらに、別の例として、中継局は、直接連結された下位中継局から再送データに対するＡＣＫチャンネルが受信される順序に基づいて、多数のＡＣＫチャンネルを配列してもよい。
【００４８】
以下においては、無線通信システムにおけるＡＲＱを行なうためのＡＣＫチャンネルを下位ノードに割り当てるための基地局の動作方法について説明する。
【００４９】
図２は、本発明の実施例によって中継方式を利用する無線通信システムの基地局においてＡＣＫチャンネルのための領域を割り当てるための手続きを示している。
【００５０】
図２を参照すると、先ず、基地局は、ステップ２０１でＡＲＱスケジューリング情報とデータを中継局に伝送する。例えば、前記基地局は、ＡＲＱスケジューリング情報を含むマップとデータを中継局に伝送する。
【００５１】
前記基地局にＡＲＱスケジューリング情報とデータを伝送した後、前記基地局は、ステップ２０３に進んで、ＡＣＫチャンネルに対するスケジューリング情報を下位中継局に伝送する。例えば、前記基地局は、ＩＥＥＥ８０２．１６標準に定義されたアップリンクマップのＡＣＫ割当て情報要素を利用してＡＣＫチャンネルに対するスケジューリング情報を下位中継局に伝送する。ここで、前記ＡＣＫチャンネルに対するスケジューリング情報は、基地局がスケジューリングするデータに対するＡＣＫチャンネル領域と、上位ノードのスケジューリングなしに下位中継局が任意に伝送する再送データに対するＡＣＫチャンネル領域との割当て情報を含む。
【００５２】
前記ＡＣＫチャンネルに対するスケジューリング情報を伝送した後、前記基地局は、ステップ２０５に進んで、下位中継局に割り当てたＡＣＫチャンネルを介して、前記ステップ２０１で下位中継局に伝送したデータに対するＡＣＫ情報が受信されたか否かを確認する。
【００５３】
ＡＣＫ情報が受信された場合、前記基地局は、ステップ２０７に進んで、下位中継局から受信されたＡＣＫ情報を介して、伝送したデータにエラーが生じたか否かを確認する。そのとき、前記基地局は、前記ＡＣＫ情報で、自らスケジューリングしたデータに対するＡＣＫ情報だけでなく、上位ノードのスケジューリングなしに下位中継局が任意に伝送する再送データに対するＡＣＫ情報を確認することができる。また、前記基地局は、予め決定したＡＣＫチャンネル構成方式により下位中継局から受信されたＡＣＫチャンネルに含まれる多数のＡＣＫ情報を確認することができる。
【００５４】
その後、前記基地局は、本アルゴリズムを終了する。
【００５５】
上述したように、基地局でＡＣＫチャンネルを割り当てる場合、中継局は、次の図３に示したように、ＡＣＫチャンネルを前記基地局に伝送する。
【００５６】
図３は、本発明の実施例によって中継方式を利用する無線通信システムの中継局においてＡＣＫチャンネルを伝送するための手続きを示している。
【００５７】
図３を参照すると、先ず、中継局は、ステップ３０１で上位ノードからＡＲＱスケジューリング情報とデータを受信する。例えば、ＩＥＥＥ  ８０２．１６標準を考慮する場合、前記中継局は、上位ノードから提供されたＨＡＲＱダウンリンクマップでＡＲＱスケジューリング情報を確認する。
【００５８】
前記ＡＲＱスケジューリング情報とデータを受信した後、前記中継局は、ステップ３０３に進んで、上位ノードからＡＣＫチャンネル割当て領域情報を受信する。例えば、ＩＥＥＥ  ８０２．１６標準を考慮する場合、前記中継局は、上位ノードから提供されたアップリンクマップのＡＣＫ割当て情報要素に含まれた、ＡＣＫチャンネルに対するスケジューリング情報を確認する。そのとき、前記中継局は、前記ＡＣＫチャンネルに対するスケジューリング情報を介して、上位ノードから提供されたデータに対するＡＣＫチャンネル領域と上位ノードのスケジューリングなしに下位ノードに伝送した再送データに対するＡＣＫチャンネル領域とを確認する。
【００５９】
その後、前記中継局は、ステップ３０５に進んで、予め定められたＡＣＫチャンネル構成情報を確認する。すなわち、前記中継局は、複数のＡＣＫチャンネルを上位ノードに伝送するためのＡＣＫチャンネル構成情報を確認する。
【００６０】
前記ＡＣＫチャンネル構成情報を確認した後、前記中継局は、ステップ３０７に進んで、前記ＡＣＫチャンネル構成情報によって複数のＡＣＫチャンネルを順次構成する。そのとき、前記中継局は、上位ノードからスケジューリングされたデータに対するＡＣＫチャンネルと、上位ノードのスケジューリングなしに伝送した再送データに対するＡＣＫチャンネルとを、図５の（Ｃ）または（Ｄ）に示したように区分する。
【００６１】
前記複数のＡＣＫチャンネルを順次構成した後、前記中継局は、ＡＲＱスケジューリング情報により確認したＡＣＫチャンネル伝送時点になると、前記構成したＡＣＫチャンネルを上位ノードに伝送する。
【００６２】
その後、前記中継局は、本アルゴリズムを終了する。
【００６３】
上述したように、上位ノードから提供されたＡＣＫチャンネル割当て情報によってＡＣＫチャンネルを伝送するための中継局は、図４に示したように構成される。
【００６４】
図４は、本発明による中継方式を利用する無線通信システムにおいてＡＣＫチャンネルを伝送するための中継局のブロック構成を示している。ここで、前記無線通信システムの時分割複信（Time  Division  Duplex）方式を用いるものとするが、他の通信方式を用いてもよい。
【００６５】
図４に示したように、中継局は、ＲＦ（Radio  Frequency）スイッチ４０１、時間コントローラ４０３、受信部４０５、メッセージ処理部４０７、制御部４０９、ＡＣＫチャンネル構成部４１１、ＡＣＫチャンネル生成部４１３及び送信部４１５から構成される。
【００６６】
前記時間コントローラ４０３は、フレーム同期に基づいて前記ＲＦスイッチ４０１のスイッチング動作を制御する。例えば、信号を受信する区間であれば、前記時間コントローラ４０３は、アンテナと受信部４０５が連結されるように、前記ＲＦスイッチ４０１を制御する。さらに、信号を送信する区間であれば、前記時間コントローラ４０３は、前記アンテナと送信部４１５が連結されるように、前記ＲＦスイッチ４０１を制御する。
【００６７】
受信区間である場合、前記受信部４０５は、前記ＲＦスイッチ４０１から提供された信号からデータを復元して前記メッセージ処理部４０７に伝達する。例えば、前記受信部４０５は、ＲＦ受信ブロックと、復調ブロックと、チャンネル復号ブロックとを含んで構成される。そのとき、ＲＦ受信ブロックは、フィルタ及びＲＦ前処理器を含み、高周波信号を基底帯域信号に変換する。前記復調ブロックは、各副搬送波に乗せられたデータを抽出するためのＦＦＴ演算器で構成される。前記チャンネル復号ブロックは、復調器（demodulator）、デインターリーバ（deinterleaver）及びチャンネルデコーダ（channel  decoder）で構成される。
【００６８】
前記メッセージ処理部４０７は、前記受信部４０５から提供されたデータに含まれた制御信号を検出して前記制御部４０９に伝送する。
【００６９】
前記制御部４０９は、前記メッセージ処理部４０７から、制御信号により、ＡＲＱスケジューリング情報と下位ノードのＡＣＫ情報とを確認する。そのとき、前記制御部４０９は、前記下位ノードへのＡＣＫ情報と前記ＡＣＫチャンネル構成部４１１から提供されたＡＣＫチャンネル構成情報とを前記ＡＣＫチャンネル生成部４１３に伝送する。
【００７０】
前記ＡＣＫチャンネル構成部４１１は、予め定められたＡＣＫチャンネル構成情報を含む。例えば、前記ＡＣＫチャンネル構成部４１１は、上位ノードからスケジューリングされたデータに対するＡＣＫチャンネル領域と、上位ノードからスケジューリングされていない再送データに対するＡＣＫチャンネル領域とに対する情報を含む。また、前記ＡＣＫチャンネル構成部４１１は、複数のＡＣＫチャンネルを順次構成するための構成情報を含む。
【００７１】
前記ＡＣＫチャンネル生成部４１３は、前記制御部４０９から提供されたＡＣＫチャンネル構成方式により、下位ノードから提供されたＡＣＫ情報に対するＡＣＫチャンネルを構成する。そのとき、前記ＡＣＫチャンネル生成部４１３は、上位ノードからスケジューリングされたデータのＡＣＫ情報と、上位ノードのスケジューリングなしに下位ノードに伝送した再送データに対するＡＣＫ情報とが区分されるように、ＡＣＫチャンネルを配列する。例えば、図１に示した中継局１（１１０）の場合、前記ＡＣＫチャンネル生成部４１３は、前記図５の（Ｂ）に示したように、上位ノードからスケジューリングされたデータ１、データ２及びデータ３に対するＡＣＫ情報を伝送するためのＡＣＫチャンネルを順次配列する。また、前記ＡＣＫチャンネル生成部４１３は、図５の（Ｆ）に示したように、上位ノードのスケジューリングなしに伝送した再送データ１、再送データ２及び再送データ３に対するＡＣＫ情報を伝送するためのＡＣＫチャンネルを順次配列する。そのとき、前記ＡＣＫチャンネル生成部４１３は、図５の（Ｃ）に示したように、上位ノードからスケジューリングされたデータのＡＣＫチャンネルと、上位ノードのスケジューリングなしに伝送した再送データに対するＡＣＫチャンネルとが区分されるように、ＡＣＫチャンネルを配列する。
【００７２】
前記送信部４１５は、前記上位ノードから割り当てられたＡＣＫ情報を伝送するための物理チャンネルを介して、前記ＡＣＫチャンネル生成部４１３で配列した多数のＡＣＫチャンネルを前記上位ノードに伝送する。
【００７３】
上述した実施例において、制御部４０９は、下位ノードから提供されたＡＣＫ情報とＡＣＫチャンネル構成部４１１から提供されたＡＣＫチャンネル構成情報とをＡＣＫチャンネル生成部４１３に伝送する。他の実施例において、ＡＣＫチャンネル生成部４１３は、ＡＣＫチャンネル構成部４１１から直接提供されたＡＣＫチャンネル構成情報によって、制御部４０９から提供された下位ノードから提供されたＡＣＫ情報を順次配列することができる。
【００７４】
上述した本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００７５】
【図１】本発明の実施例に係る中継方式を利用する無線通信システムにおいてＡＲＱを行なうためのＡＣＫチャンネルを伝送するための構成を示す図である。
【図２】本発明の実施例に係る中継方式を利用する無線通信システムの基地局においてＡＣＫチャンネルのための領域を割り当てるための手続きを示す図である。
【図３】本発明の実施例に係る中継方式を利用する無線通信システムの中継局においてＡＣＫチャンネルを伝送するための手続きを示す図である。
【図４】本発明の実施例に係る中継方式を利用する無線通信システムにおけるＡＣＫチャンネルを伝送するための中継局のブロック構成を示す図である。
【図５】本発明の実施例に係る中継方式を利用する無線通信システムの中継局において伝送するＡＣＫチャンネル構造を示す図である。
【図１】
0004914882.tif 000002
【図２】
0004914882.tif 000003
【図３】
0004914882.tif 000004
【図４】
0004914882.tif 000005
【図５】
0004914882.tif 000006